(57)【要約】【課題】  違和感無く容易に電気ベースギター（エレキベースギター）の弦のピッキング操作をすることができる指置きを備えた電気ベースギターとその指置きを提案するものである。【解決手段】  断面略Ｌ字型に形成され、この略Ｌ字型の立上り部はその上面をＲ面とし、かつ最も太い弦の太さとほぼ同等又はそれ以上の厚さを有し、電気ベースギターのボデー上に張設された弦とほぼ同一の高さに構成されてなる指置きを、上記立上り部の外側面を最も太い弦の外側に該弦と平行に対向させ、かつ上記立上り部が張設される各弦と等間隔となるようにボデー面のピッキング位置に設置固定するようにしたことを特徴とする。【選択図】  図３
0003139701.tif 000002
【実用新案登録請求の範囲】
【請求項１】
断面略Ｌ字型に形成され、このＬ字型の立上り部はその上面をＲ面とし、かつ最も太い弦の太さとほぼ同等又はそれ以上の厚さを有し、電気ベースギターのボデー上に張設された弦とほぼ同一の高さに構成されてなる指置きを、上記立上り部の外側面を最も太い弦の外側に該弦と平行に対向させ、かつ上記立上り部が張設される各弦と等間隔となるようにボデー面の弦のピッキング位置に設置固定するようにしたことを特徴とする指置きを備えた電気ベースギター。
【請求項２】
断面略Ｌ字型に形成され、このＬ字型の立上り部はその上面をＲ面とし、かつ最も太い弦の太さとほぼ同等又はそれ以上の厚さを有し、電気ベースギターのボデー上に張設された弦とほぼ同一の高さに構成されてなることを特徴とする電気ベースギター用指置き。
【考案の詳細な説明】
【技術分野】
【０００１】
本考案は、指置き（フィンガーレストともいう）を備えた電気ベースギター（いわゆるエレキベースギター）およびその電気ベースギター用の指置きに関するものである。
【背景技術】
【０００２】
演奏者がエレキベースギターを抱えて通常４本の張設されたベースギターの弦を指（通常は人差し指で）で弾く（フィンガーピッキングという）場合、その手元を見なくても分るように、あるいは他の弦に接触しないように、その弦に隣接する低音側（上側）に位置する、より太い弦に親指を載せあるいは引っ掛けて操作演奏することが通常行われている。例えば、一番下側の第１弦（一番細い弦）を弾くときには第２弦に、第２弦を弾くときは第３弦に、親指を添えながら人差し指でその弦を弾く。
【特許文献１】なし。
【０００３】
しかし、エレキベースギターを抱えたときに、最も上側に位置する弦（通常の４弦エレキベースギターの場合は最も太い第４弦）を人差し指等で弾く際には、その上方（外側）には弦が存在しないため、親指を添えたり載せたりするものがなく、不安定となって操作性が悪くなってしまう。
【０００４】
そこで、このような問題を解消するために、エレキベースギターでは、指置きをギターボデー面に取付けることがある。
【０００５】
しかし、この従来の指置きは、単に角型ブロック状をなす指置きをエレキベースギターのボデー上に張設した最も太い弦（第４弦）の更にその外側のボデー面に設置固定されているだけで、エレキベースギターの指置き本来の目的が発揮されているとは言い難く、エレキベースギターの弦操作がし難くて、ひいてはエレキベースギター演奏に支障を来たすものであった。
【考案の開示】
【考案が解決しようとする課題】
【０００６】
本考案は、上記欠点を解消し、違和感無く容易に電気ベースギター（エレキベースギター）の弦の操作ができるエレキベースギターの指置き及びそれを備えたエレキベースギターを提案するものである。
【課題を解決するための手段】
【０００７】
本考案は、断面略Ｌ字型に形成され、このＬ字型の立上り部はその上面をＲ面とし、かつ最も太い弦の太さとほぼ同等又はそれ以上の厚さを有し、エレキベースギターのボデー上に張設された弦とほぼ同一の高さに構成されてなる指置きを使用する。
【０００８】
そして、この指置きの上記立上り部の外側面を最も太い弦の外側に該弦と平行に対向させ、かつ上記立上り部が張設される各弦と等間隔となるようにこの指置きをボデー面の弦のピッキング位置に設置固定する。
【考案の効果】
【０００９】
本考案によれば、指置きを断面略Ｌ字型に形成しているため、演奏者が最上段の最も太い弦を人差し指等で弾く際に、これを補助するための基点となる親指をこの指置きに容易に乗せたり、引っ掛けたりすることができる。
【００１０】
従って、演奏者がこの指置きに親指を置ことにより、通常４弦のエレキベースの場合、第４弦を弾くときに、この指置きの立上り部がギターボデー上に張設した各弦と等間隔に設けられていることにより、あたかも親指を第５弦目に載せるような感覚を得ることができ、他の弦（第１〜３弦）を弾く場合と同様の感覚で弦操作をすることができて、違和感なく第４弦を弾くことができるのである。
【００１１】
また、本考案によれば、エレキベースギターのボデー面に上記Ｌ字型の立上り部の外側面を弦方向に対向させ、弦と平行するようにこの指置きが取付けられているため、該指置きに置いた親指が滑ったりするようなことはなく、確実に固定することができる。
【００１２】
また、この指置きに親指を置くため、最上段（第４弦）の弦を弾いた人差し指や中指等の振り幅を制御することができるので、無駄な動作をすることがなく、すばやく次の弦への指の移動操作ができるので、円滑に演奏することが可能となるのである。
【考案を実施するための最良の形態】
【００１３】
以下、本考案を添付図面に従って説明する。
図１は本考案に使用するエレキベースギター用の指置きの全体斜視図、図２はエレキベースギターのボデー面の弦ピッキング位置に設置した状態の指置きの断面図、図３は本考案に係る指置きを備えたエレキベースギターのボデー全体の斜視図である。
【００１４】
本考案に係る指置き１は、断面略Ｌ字型をなし、金属や合成樹脂等から構成され、指置き１の立上り部２の上端面３は断面円弧状のＲ面を形成しており、かつこの立上り部２の上端面３の厚さ（立上り部２の肉厚）はベースギターの最も太い弦（第４弦）の太さ（直径）とほぼ同等又はそれより若干大きな厚さ（例えば厚さ３mm以上）とする。
【００１５】
この指置き１は、ベースギターのボデー４上に設置された弦の振動を拾ってこれを電気信号に変換するためのピックアップ５近傍の演奏者が弦を弾く位置（ピッキング位置）で、最も太い弦６（通常の４弦ベースギターであれば、第４弦）より外側に、該指置き１の立上り部２の外側面２ａが該弦６に対して平行でかつ対向するにしてベースギターのボデー４面上にボルトやネジ８等により設置固定する。
【００１６】
また、この指置き１の立上り部２はギターボデー４上に緊設された各弦の張設間隔と等間隔で各弦と平行するように指置き１を設置固定する。
【００１７】
また、上記立上り部２の高さはギターボデー４上に緊設された各弦の高さ位置とほぼ同一の高さとする。
【００１８】
このように、ベースギターのボデー４面上のピッキング位置に指置き固定することにより、演奏者は最も外側（ギターを抱いたときの最上段）の弦を人差し指や中指で弾く際に、これを補助する親指を指置き１の上端面３上に添え置きあるいは引掛けて固定させやすく、弦と同様の感触が得られ、容易にその弦を操作することができるのである。
【００１９】
従って、演奏者は例えば４弦のエレキベースギターであれば、指置き１がまるで第５弦目であるような感覚を得ることができ、他の弦を弾く場合と同様の感覚で違和感なく最も外側（最上段）の弦（第４弦）を操作することができ、最上段（第４弦）の弦を弾いた人差し指や中指等の振り幅を制御することができるので、無駄な動作をすることがなく、すばやく次の弦への指の移動操作ができるので、円滑に演奏することができるのである。
【００２０】
なお、演奏者によっては、各弦を親指で弾く人もおり、この場合には、この指置き１を最も細い第１弦の外側に固定するようにし、人差し指あるいは中指を該指置き１に引っ掛けて演奏する。その場合の指置き１の設置方法も、前記と同様に、指置き１の立上り部２の外側面２ａを最も細い弦の外側に該弦と平行に対向させ、かつ上記立上り部を各弦と等間隔となるようにボデー面の弦のピッキング位置に設置固定する。
【図面の簡単な説明】
【００２１】
【図１】本考案に使用する電気ベースギター用の指置きの全体斜視図である。
【図２】電気ベースギターのボデー面の弦ピッキング位置に設置した状態の本考案に係る指置きの断面図である。
【図３】本考案に係る指置きを備えた電気ベースギターのボデー全体の斜視図である。
【符号の説明】
【００２２】
１−指置き（フィンガーレスト）
２−指置きの立上り部
２ａ−立上り部の外側面
３−立上り部の上端面
４−電気ベースギターのボデー
５−ピックアップ
６−最も太い弦（第４弦）
７−第３弦
８−ボルト又はネジ
９−第２弦
１０−第１弦
１１−ギターネック
【図１】
0003139701.tif 000003
【図２】
0003139701.tif 000004
【図３】
0003139701.tif 000005